(57)【要約】この発明は、文字、画像等の情報を表示する表示装置（４）と、この表示装置（４）を収容し、該表示装置（４）の表示面に対応する位置に表示窓（１０、１１）が設けられた筐体（６）と、上記表示装置（４）の少なくとも一側面と上記筐体（６）との間に挿入された弾性体（１４）とを備え、上記表示装置（４）は上記弾性体（１４）により遊動可能に位置規制される携帯機器である。  したがって、筐体（６）外部から、筐体（６）内部に保持された表示装置（４）に対する衝撃に対し、高い強度性能を有する携帯機器を得ることを目的とするものである。
2005069711.tif 000002
【特許請求の範囲】
【請求項１】
文字、画像等の情報を表示する表示装置と、
この表示装置を収容し、該表示装置の表示面に対応する位置に表示窓が設けられた筐体と、
上記表示装置の少なくとも一側面と上記筐体との間に挿入された弾性体とを備え、
上記表示装置は上記弾性体により遊動可能に位置規制されることを特徴とする携帯機器。
【請求項２】
文字、画像等の情報を表示する表示装置と、
この表示装置を収容し、該表示装置の表示面に対応する位置に表示窓が設けられた筐体と、
上記表示装置の一側面と上記筐体との間に挿入され、上記一側面に対向する側面を上記筐体に当接させて支持する弾性体とを備え、
上記表示装置は上記弾性体により上記筐体に当接した側面方向を除き遊動可能に位置規制されることを特徴とする携帯機器。
【請求項３】
文字、画像等の情報を表示する表示装置と、
この表示装置を収容し、該表示装置の表示面に対応する位置に表示窓が設けられた筐体と、
上記表示装置の対向する一対の側面をそれぞれ上記筐体に支持する支持部とを備え、
上記表示装置の他の一対の側面と上記筐体との間にはクリアランスが形成されていることを特徴とする携帯機器。
【請求項４】
支持部は表示装置の長手方向または厚み方向に対し略中央で上記表示装置を筐体に支持することを特徴とする請求の範囲３記載の携帯機器。
【請求項５】
表示装置の表示面又は該表示面に対向する面と筐体との間に弾性体を備えたことを特徴とする請求の範囲３記載の携帯機器。
【請求項６】
弾性体は樹脂製クッションで形成されていることを特徴とする請求の範囲１から３のいずれか１つに記載の携帯機器。
【発明の詳細な説明】
【技術分野】  この発明は、筐体内部に表示装置を保持する携帯機器に関し、特に外力による衝撃で表示装置が破損するのを防止するようにしたものに関する。
従来技術
近年、携帯電話機等の携帯機器は携帯の利便性から薄形化が求められるため、筐体及び表示パネルが薄形化傾向にある。しかし、筐体及び表示パネルを薄型化することにより、携帯電話機本体及び表示パネルの強度が不足して耐衝撃性が低下し、表示パネルが破損しやすくなる。また、携帯電話機は、マルチメディアの端末機としての使用が拡大したことから、大量の情報が表示できるように表示サイズの大型化も求められており、そのことが表示パネルの強度性能低下に拍車をかけている。
筐体外部から受ける衝撃に対し、内部に実装した表示パネルを保護する表示器保護機構として、例えば、特開平１１−１２２３３０号公報に、表示器を保持し、強度の高いシールドケースの両端からリブを出し、シールドケースがリブを介して筐体を支持する携帯型通信機が記載されている。
しかし、この携帯型通信機においては、表示器の端部で厚み方向に衝撃が加えられた時に、表示器を固定しているシールドケースに負荷がかかり、シールドケースが変形するとともに、シールドケースに固定された表示器も変形してしまうという問題点があった。また、この携帯型通信機においては、筐体の側面方向に加えられた衝撃については全く考慮されていないため、筐体の側面方向に衝撃が発生した場合は、表示パネルの破損が全く軽減されないという問題点があった。
この発明は上記のような問題点を解消するためになされたもので、筐体外部から受ける衝撃に対し、筐体内部に保持された表示装置が高い強度性能を有する携帯機器を得ることを目的とするものである。
【発明の開示】
この発明に係る携帯機器は、文字、画像等の情報を表示する表示装置と、この表示装置を収容し、該表示装置の表示面に対応する位置に表示窓が設けられた筐体と、上記表示装置の少なくとも一側面と上記筐体との間に挿入された弾性体とを備え、上記表示装置は上記弾性体により遊動可能に位置規制されるように構成したものである。
以上の構成によれば、表示装置が筐体内部をフローティングできるので、表示装置に衝撃が伝わり難くなり、表示装置の変形及び破損を防ぐことができる。
【図面の簡単な説明】  第１図は、この発明の携帯機器としての携帯電話機の外観図である。
第２図は、実施の形態１に係る第１図のＸ−Ｘ線における断面図（ａ）及びＹ−Ｙ線における断面図（ｂ）である。
第３図は、実施の形態１に係る第２図のＺ−Ｚ線における断面図である。
第４図は、実施の形態１に係る携帯電話機の分解斜視図である。
第５図は、実施の形態１に係る携帯電話機にフロントケース７側からの外力Ａが加わった時の状態図である。
第６図は、実施の形態１に係る携帯電話機に長手方向からの外力Ｂが加わった時の状態図である。
第７図は、実施の形態２に係る第１図のＸ−Ｘ線における断面図（ａ）及びＹ−Ｙ線における断面図（ｂ）である。
第８図は、実施の形態２に係る第７図のＺ−Ｚ線における断面図である。
第９図は、実施の形態２に係る携帯電話機の分解斜視図である。
第１０図は、実施の形態２に係る携帯電話機にフロントケース７側からの外力Ａが加わった時の状態図である。
第１１図は、実施の形態２に係る携帯電話機に長手方向からの外力Ｂが加わった時の状態図である。
第１２図は、実施の形態２に係る第７図のＺ−Ｚ線における断面図である。
第１３図は、実施の形態２に係る第１図のＸ−Ｘ線における断面図（ａ）及びＹ−Ｙ線における断面図（ｂ）である。
第１４図は、実施の形態２に係る第１図のＸ−Ｘ線における断面図（ａ）及びＹ−Ｙ線における断面図（ｂ）である。
第１５図は、実施の形態２に係る第１図のＸ−Ｘ線における断面図（ａ）及びＹ−Ｙ線における断面図（ｂ）である。
【発明を実施するための最良の形態】実施の形態１．
以下、実施の形態１について説明する。
第１図はこの発明の携帯機器としての携帯電話機の外観図、第２図は実施の形態１に係る第１図のＸ−Ｘ線における断面図（ａ）及びＹ−Ｙ線における断面図（ｂ）であり、第３図は実施の形態１に係る第２図（ｂ）のＺ−Ｚ線における断面図である。第４図は実施の形態１に係る携帯電話機の分解斜視図である。
第１図から第４図において、ＬＣＤ（Ｌｉｑｕｉｄ  Ｃｒｙｓｔａｌ  Ｄｉｓｐｌａｙ）表示パネル１及び補助的ＬＣＤ表示パネル２がＬＣＤホルダ３の両面に保持された表示装置４が、ネジ５で共締めされた筐体６としてのフロントケース７及びリアケース８内部の実装スペース９に収容されている。ＬＣＤ表示パネル１は文字、画像等の種々の情報表示を行い、補助的ＬＣＤ表示パネル２はＬＣＤ表示パネル１の補助的な情報を表示するものである。ＬＣＤ表示パネル１及び補助的ＬＣＤ表示パネル２のガラス面保護のために、ＬＣＤ表示パネル１及び補助的ＬＣＤ表示パネル２に対応する位置にそれぞれ表示窓１０及び表示窓１１が設けられている。表示装置４のＬＣＤ表示パネル１の表示面側とフロントケース７との間には弾性体１２が、表示装置４の補助的ＬＣＤ表示パネル２の表示面側とリアケース８との間には弾性体１３が設けられており、表示装置４の一側面と筐体６との間には弾性体１４が設けられている。また、弾性体１４が設けられた表示装置４の側面と対向する側面は当て面１５により筐体６に当接されており、当て面１５は、表示装置４を筐体６内の適正な位置に位置決めしている。弾性体１２、１３及び１４は、樹脂製クッション、シリコーンゴ厶、板ばね、スプリング等の塑性変形することがなければどのような弾性体を使用してもよいが、樹脂製クッションを使用した場合は、全体的に柔らかく伸縮可能なため接触面が複雑な形状であってもフィットすることができるので、接触面を大きく確保でき衝撃による接触部の局所的負荷が小さく、表示装置４の位置ずれを防止でき、筐体６と表示装置４との間の摩耗も発生しにくい。
第５図は、実施の形態１に係る携帯電話機に、落下等の衝撃によりフロントケース７側から外力Ａが加わった時の状態図である。まず、外力Ａによって筐体６は図のように変形する。筐体６の変形は、まず弾性体１２及び１３が変形することで吸収される。さらに筐体６の変形が弾性体１２及び１３の変形可能な範囲を超えた場合には、表示装置４全体が当て面１５を軸にして外力Ａの加わった方向に向かって遊動する。
次に、第６図は、実施の形態１に係る携帯電話機に、落下等の衝撃により携帯電話機の長手方向から外力Ｂが加わった時の状態図である。まず、外力Ｂによって筐体６は図のように変形する。筐体６の変形は、まず弾性体１４が変形することで吸収される。さらに筐体６の変形が弾性体１４の変形可能な範囲を超えた場合には、表示装置４全体が当て面１５を軸にしてフロントケース７又はリアケース８の方向に向かって遊動する。
このように、携帯電話機に外力Ａ又はＢが加わっても、表示装置４は筐体６内部でフローティングできるので、表示装置４へ作用する外力Ａ又はＢが軽減され表示装置４は変形し難くなり、ＬＣＤ表示パネル１及び補助的ＬＣＤ表示パネル２の破損を防止することができる。
上記実施の形態１では、第３図のように、弾性体１４を表示装置４の長手方向側面に設けたが、４つの側面いずれに設けてもよく、また、すべてに設けてもよい。このようにすると、表示装置４は、当て面１５を除く側面、表示面及び該表示面に対応する面方向にフローティングできる。即ち、表示装置４は遊動可能に位置規制されるので、当て面１５以外の方向からの衝撃に対して保護される。
実施の形態２．
以下、実施の形態２について説明する。
第７図は実施の形態２に係る第１図のＸ−Ｘ線における断面図（ａ）及びＹ−Ｙ線における断面図（ｂ）であり、第８図は実施の形態２に係る第７図（ｂ）のＺ−Ｚ線における断面図である。第９図は実施の形態２に係る携帯電話機の分解斜視図である。第７図から第９図において、表示装置４の一対の側面に設けられた突起部１６と、フロントケース７の一対の側面に設けられた凹部１７とが、互いに対応する位置に設けられ嵌合している。ここで、突起部１６及び凹部１７は、表示装置４を筐体６内の適正な位置に位置決めしている。表示装置４のＬＣＤ表示パネル１の表示面側とフロントケース７との間には実装クリアランス１８が、表示装置４の補助的ＬＣＤ表示パネル２の表示面側とリアケース８との間には実装クリアランス１９が、さらに、表示装置４の突起部１６が設けられていない側面と筐体６との間には実装クリアランス２０が設けられている。その他、実施の形態１と同じ構成を有するものは同一の符号にて記載し、ここでの説明は省略する。
第１０図は、実施の形態２に係る携帯電話機に、落下等の衝撃によりフロントケース７側から外力Ａが加わった時の状態図である。まず、外力Ａによって筐体６は図のように変形する。しかし、表示装置４は突起部１６及び凹部１７のみで筐体６に位置を規制されているため、表示装置４全体が突起部１６及び凹部１７を軸にして外力Ａの加わった方向に向かって遊動する。また、突起部１６及び凹部１７を表示装置４における携帯電話機の長手方向及び厚み方向に対し略中央の位置に設けると、表示装置４はスムースに遊動できる。
次に、第１１図は、実施の形態２に係る携帯電話機に、落下等の衝撃により携帯電話機の長手方向から外力Ｂが加わった時の状態図である。まず、外力Ｂによって筐体６は図のように変形する。しかし、表示装置４は突起部１６及び凹部１７のみで筐体６に位置を規制されているため、表示装置４全体が突起部１６及び凹部１７を軸にして外力Ｂの加わった方向に向かって遊動する。
このように、携帯電話機に外力Ａ又はＢが加わっても、表示装置４は筐体６内部を実装クリアランス１８、１９及び２０の範囲内でフローティングできるので、表示装置４へ作用する外力Ａ又はＢが軽減され表示装置４は変形し難くなり、ＬＣＤ表示パネル１及び補助的ＬＣＤ表示パネル２の破損を防止することができる。
なお、上記実施の形態２では、表示装置４に突起部１６、フロントケース７に凹部１７が設けるものとしたが、第１２図のように、表示装置４に凹部２１、フロントケース７に突起部２２が設けられていてもよい。
また、上記実施の形態２では、突起部１６及び凹部１７は、携帯電話機の幅方向の側面に設けたが、長手方向の側面に設けてもよい。突起部１６及び凹部１７を幅方向の側面に設けた場合は、長手方向の衝撃に対し表示装置４を保護することができ、長手方向の側面に設けた場合は、幅方向の衝撃に対し表示装置４を保護することができる。
さらに、上記実施の形態２では、突起部１６及び凹部１７のみで表示装置４を筐体６に支持しているが、第１３図のように表示装置４の表示面又は該表示面に対向する面と筐体６との間に弾性体１２及び１３を設けてもよく、この場合、表示装置４を筐体６に安定して支持できる。
また、上記実施の形態２では、実装クリアランス１８、１９及び２０には何も介在させていないが、表示装置４が遊動可能であれば、一部に弾性部材を介在させてもよい。
上記実施の形態１及び２において、表示装置４はＬＣＤ表示パネル１、補助的ＬＣＤ表示パネル２及びＬＣＤホルダ３で構成されているが、第１４図又は第１５図のように、表示装置４が、ＬＣＤ表示パネル１及びＬＣＤホルダ３で構成されているものに適用してもよい。
さらに、上記実施の形態１及び２は、筐体の部品点数を少なくするため筐体としてフロントケース７及びリアケース８を使用したが、剛性及び強度を確保するために、シャーシ、フレーム又は基板等の内部筐体とフロントケース７又はリアケース８を組み合わせた筐体に適用してもよい。
【図１】
2005069711.tif 000003
【図２】
2005069711.tif 000004
【図３】
2005069711.tif 000005
【図４】
2005069711.tif 000006
【図５】
2005069711.tif 000007
【図６】
2005069711.tif 000008
【図７】
2005069711.tif 000009
【図８】
2005069711.tif 000010
【図９】
2005069711.tif 000011
【図１０】
2005069711.tif 000012
【図１１】
2005069711.tif 000013
【図１２】
2005069711.tif 000014
【図１３】
2005069711.tif 000015
【図１４】
2005069711.tif 000016
【図１５】
2005069711.tif 000017
【国際調査報告】
2005069711.tif 000018
2005069711.tif 000019
2005069711.tif 000020
2005069711.tif 000021